【手続補正書】
【提出日】平成30年3月23日(2018.3.23)
【手続補正１】
【補正対象書類名】特許請求の範囲
【補正対象項目名】全文
【補正方法】変更
【補正の内容】
【特許請求の範囲】
【請求項１】
脛骨インプラントであって、
外周縁を備え、それにより、前記外周縁は、垂直軸に沿って上方から見て前記周縁の周囲を反時計回りに進むと、第１の直線縁をさらに備え、
前記第１の直線縁の後に、前記第１の直線縁に衝合し、それと接する、第１の凸状角が続き、
前記第１の凸状角の後に、前記第１の凸状角に衝合し、それと接する、第２の直線縁または浅い弧が続き、
前記第１の凸状角の角度は、９０度を上回るが、１８０度未満であり、
前記第２の直線縁または前記浅い弧の後に、前記第２の直線縁または前記浅い弧に衝合し、それと接する、第２の凸状角が続き、
前記第２の凸状角の後に、第１の凹状曲線が続き、前記第２の凸状角は、第１の変曲点において、前記第１の凹状曲線に遷移し、
前記第１の直線縁と平行であり、前記第１の変曲点より前記第１の直線縁から遠い接触点において、第２の凸状角と接する、接線が存在し、
前記第１の凹状曲線は、前記接線より前記第１の直線縁から遠くなるように、前記第１の変曲点から継続し、前記接線を交差し、
前記第１の凹状曲線の後に、前記第１の凹状曲線から始まり、前記第１の直線縁に戻り、前記脛骨インプラントの全周縁を形成する、凸状曲線が続く、脛骨インプラント。
【請求項２】
前記脛骨インプラントは、脛骨対面表面と、前記脛骨対面表面に対向する下側表面とを有し、
前記下側表面は、前記脛骨インプラントの外周縁から内側に延在する切り抜き領域を有し、前記切り抜き領域は、前記切り抜き領域を前記脛骨インプラントの前記下側表面の残りから境界する、切り抜き周縁形状によって画定され、
前記切り抜き周縁形状は、脛骨蟻継ぎ構成を有する、請求項１に記載の脛骨インプラント。
【請求項３】
前記脛骨蟻継ぎ構成は、前記切り抜き周縁の第１の側および第２の側ならびにその残りの少なくとも一部に沿って延在する、請求項２に記載の脛骨インプラント。
【請求項４】
前記第１の側および前記第２の側は、相互に平行である、請求項３に記載の脛骨インプラント。
【請求項５】
踵骨インプラントおよび中間インプラントとの組み合わせであって、
脛骨上に埋め込むための前記脛骨インプラントは、脛骨対面表面と、前記脛骨対面表面に対向する脛骨インプラント下側表面とを含み、前方端および後方端を有し、
距骨上に埋め込むための前記踵骨インプラントは、踵骨対面表面と前記踵骨対面表面に対向する踵骨インプラント上側表面とを含み、前方端および後方端を有し、
前記中間インプラントは、前方端および後方端と、脛骨対面表面および踵骨対面表面とを含み、前記中間インプラントは、前記脛骨インプラントと前記踵骨インプラントとの間に嵌合する、請求項１に記載の脛骨インプラント。
【請求項６】
前記中間インプラントの前記脛骨対面表面は、前記脛骨インプラントに固定して取り付けられ、前記中間インプラントの前記踵骨対面表面は、前記踵骨インプラントに関節運動可能に係合する、関節運動する表面を有する、請求項５に記載の脛骨インプラント。
【請求項７】
前記中間インプラントは、前記関節運動する表面の第１の縁をその前方端に、および、前記関節運動する表面の第２の縁をその後方端に有し、
前記第１の縁は、前記第２の縁と異なる高さにあり、高さは、前記中間インプラントの上部表面に対して画定される、請求項６に記載の脛骨インプラント。
【請求項８】
前記脛骨対面表面はさらに、前記脛骨インプラントの前記前方端より前記脛骨インプラントの前記後方端の近くに位置するフィンを備え、前記フィンは、前記脛骨対面表面に取り付けられた近位フィン端を有し、前記脛骨対面表面から測定されるフィン角度において前記脛骨対面表面から垂下する遠位フィン端を有する、請求項５に記載の脛骨インプラント。
【請求項９】
前記脛骨対面表面はさらに、前記フィンが位置するより前記脛骨インプラントの前記前方端の近くに位置する少なくとも１つのペグを備え、前記少なくとも１つのペグは、前記脛骨対面表面に取り付けられた近位ペグ端を有し、前記脛骨対面表面から測定されるペグ角度において前記脛骨対面表面から垂下する遠位ペグ端を有する、請求項８に記載の脛骨インプラント。
【請求項１０】
足関節置換人工装具であって、
脛骨対面表面と前記脛骨対面表面に対向する脛骨インプラント下側表面とを有し、かつ前方端および後方端を有する、脛骨上に埋め込むための脛骨インプラントと、
踵骨対面表面と前記踵骨対面表面に対向する踵骨インプラント上側表面とを有し、かつ前方端および後方端を有する、距骨上に埋め込むための踵骨インプラントと、
前方端および後方端と、脛骨対面表面および踵骨対面表面とを有する、中間インプラントであって、前記中間インプラントは、前記脛骨インプラントと前記踵骨インプラントとの間に嵌合する、中間インプラントと
を備え、
前記中間インプラントの前記脛骨対面表面は、前記脛骨インプラントに固定して取り付けられ、前記中間インプラントの前記踵骨対面表面は、前記踵骨インプラントに関節運動可能に係合する、関節運動する表面を有し、
前記中間インプラントの前記関節運動する表面は、その前記前方端において前方平面状表面と双顆状表面との間に前方縁を、その前記後方端において後方平面状表面と前記双顆状表面との間に後方縁を有し、
前記前方縁および前記前方平面状表面は、前記後方縁および前記後方平面状表面と異なる高さにあり、高さは、前記中間インプラントの上部表面に対して画定される、人工装具。
【請求項１１】
前記前方縁および前記前方平面状表面は、前記後方縁および前記後方平面状表面より遠位にある、請求項１０に記載の人工装具。
【請求項１２】
前記前方縁および前記前方平面状表面は、前記後方縁および前記後方平面状表面より近位にある、請求項１０に記載の人工装具。
【請求項１３】
前記前方平面状表面または前記後方平面状表面のうちの少なくとも１つは、実質的に、前記上部表面と平行である、請求項１０に記載の人工装具。
【請求項１４】
前記前方平面状表面および前記後方平面状表面は、実質的に、前記上部表面と平行である、請求項１３に記載の人工装具。
【請求項１５】
前記前方平面状表面および前記後方平面状表面は、実質的に、相互に平行である、請求項１０に記載の人工装具。
【請求項１６】
前記双顆状表面はさらに、それぞれが、旋回軸の周囲を旋回される個別の円弧によって形成される、第１および第２の凹状顆状表面を備える、請求項１０に記載の人工装具。
【請求項１７】
前記旋回軸は、前記脛骨インプラントの前記脛骨対面表面を含む平面から測定される約８度の角度で配置される、請求項１６に記載の人工装具。
【請求項１８】
足関節置換人工装具のための中間インプラントであって、
前方端および後方端と、脛骨対面表面および踵骨対面表面とを有する中間インプラントを備え、
前記中間インプラントは、上部表面と、対向する、関節運動する表面とを含み、
前記中間インプラントの前記関節運動する表面は、その前記前方端において前方表面と双顆状表面との間に前方縁を、その前記後方端において後方表面と前記双顆状表面との間に後方縁を有し、前記後方表面および前記前方表面は、実質的に、相互に平行であり、
前記前方縁および前記前方表面は、前記後方縁および前記後方表面と異なる高さにあり、高さは、前記中間インプラントの前記上部表面に対して画定される、中間インプラント。
【請求項１９】
脛骨インプラントおよび踵骨インプラントをさらに備え、前記中間インプラントは、前記脛骨インプラントと前記踵骨インプラントとの間に嵌合し、前記中間インプラントの前記脛骨対面表面は、前記脛骨インプラントに固定して取り付けられ、前記中間インプラントの前記踵骨対面表面は、前記踵骨インプラントに関節運動可能に係合する、関節運動する表面を有する、請求項１８に記載の中間インプラント。
【請求項２０】
前記前方縁および前記前方表面は、前記後方縁および前記後方表面より遠位にある、請求項１８に記載の中間インプラント。
【請求項２１】
前記前方縁および前記前方表面は、前記後方縁および前記後方表面より近位にある、請求項１８に記載の中間インプラント。
【請求項２２】
前記前方表面および前記後方表面は、実質的に、前記上部表面と平行である、請求項１８に記載の中間インプラント。
【請求項２３】
前記双顆状表面はさらに、それぞれが、旋回軸の周囲を旋回される個別の円弧によって形成される、第１および第２の凹状顆状表面を備える、請求項１８に記載の中間インプラント。
【請求項２４】
前記旋回軸は、前記脛骨インプラントの前記脛骨対面表面を含む平面から測定される約８度の角度で配置される、請求項１８に記載の中間インプラント。
【請求項２５】
足関節置換人工装具であって、
脛骨上に埋め込むための脛骨インプラントと、
距骨上に埋め込むための踵骨インプラントと、
前記脛骨インプラントと前記踵骨インプラントとの間に嵌合する中間インプラントと
を備え、
前記中間インプラントは、前記脛骨インプラントに関節運動不可能に取り付けられ、前記踵骨インプラントに対して関節運動可能であり、
前記脛骨インプラントは、脛骨対面表面と前記脛骨対面表面に対向する下側表面とを有し、
前記下側表面は、前記脛骨インプラントの外周縁から内側に延在する切り抜き領域を有し、前記切り抜き領域は、前記切り抜き領域を前記脛骨インプラントの前記下側表面の残りから境界する、切り抜き周縁形状によって画定され、
前記切り抜き周縁は、脛骨蟻継ぎ構成を有し、
前記脛骨蟻継ぎ構成は、前記切り抜き周縁の第１の側および第２の側ならびにその残りの少なくとも一部に沿って延在し、
前記中間インプラントは、上部表面と、対向する、関節運動する表面とを備え、
前記中間インプラントの前記関節運動する表面は、その前方端において前方表面と双顆状表面との間に前方縁を、その後方端において後方表面と前記双顆状表面との間に後方縁を有し、前記後方表面および前記前方表面は、実質的に、相互に平行であり、前記前方縁および前記前方表面は、前記後方縁および前記後方表面と異なる高さにあり、高さは、前記中間インプラントの前記上部表面に対して画定され、
前記上部表面は、前記脛骨蟻継ぎ構成と相補的である中間インプラント蟻継ぎ構成を備える、人工装具。
【請求項２６】
前記第１の側および前記第２の側は、相互に平行である、請求項２５に記載の人工装具。
【請求項２７】
前記中間蟻継ぎ構成は、第１の直線側、湾曲領域、第２の直線側、湾曲領域、および第３の直線側を備える、請求項２５に記載の人工装具。
【請求項２８】
前記脛骨蟻継ぎ構成は、前記切り抜き周縁形状の全体に沿って延在する、請求項２５に記載の人工装具。
【請求項２９】
前記脛骨インプラントはさらに、前記切り抜き領域内にポケットを備え、前記中間インプラントは、前記ポケットと相補的なラッチを備え、前記ラッチが前記ポケットに係合すると、前記中間インプラント蟻継ぎ構成の一部は、前記脛骨蟻継ぎ構成の前記残りの一部に係合する、請求項２５に記載の人工装具。
【請求項３０】
前記前方縁および前記前方表面は、前記後方縁および前記後方表面より遠位にある、請求項２５に記載の人工装具。
【請求項３１】
前記前方縁および前記前方表面は、前記後方縁および前記後方表面より近位にある、請求項２５に記載の人工装具。
【手続補正２】
【補正対象書類名】明細書
【補正対象項目名】００１１
【補正方法】変更
【補正の内容】
【００１１】
本発明のある実施形態では、脛骨インプラントは、外周縁であって、上方から見て反時計回りに進むと、第１の直線縁を備える、外周縁を有してもよく、第１の直線縁の後に、第１の直線縁に衝合し、それと接する、第１の凸状角が続き、第１の凸状角の後に、第１の凸状角に衝合し、それと接する、第２の直線縁または浅い弧が続き、第１の凸状角の角度は、９０度を上回るが、１８０度未満であって、第２の直線縁または浅い弧の後に、第２の直線縁または浅い弧に衝合し、それと接する、第２の凸状角が続き、第２の凸状角の後に、第１の凹状曲線が続き、第２の凸状角は、第１の変曲点において、第１の凹状曲線に遷移し、第１の直線縁と平行であって、第１の変曲点より第１の直線縁から遠い接触点において、第２の凸状角と接する、接線が存在し、第１の凹状曲線は、接線より第１の直線縁から遠くなるように、継続して接線を交差し、第１の凹状曲線の後に、第１の凹状曲線から始まり、第１の直線縁に戻り、脛骨プレートの全周縁を形成する、凸状曲線が続く。
本願明細書は、例えば、以下の項目も提供する。
（項目１）
足関節置換人工装具であって、
脛骨対面表面（１０２）および前記脛骨対面表面（１０２）に対向する脛骨インプラント下側表面（１０４）を有し、かつ前方端（１０１Ａ）および後方端（１０１Ｐ）を有する、脛骨上に埋め込むための脛骨インプラント（１００）と、
踵骨対面表面（３０２）および前記踵骨対面表面（３０２）に対向する踵骨インプラント上側表面（３７２、３７４）を有し、かつ前方端（３０１Ａ）および後方端（３０１Ｐ）を有する、距骨上に埋め込むための踵骨インプラント（３００）と、
前方端（２０１Ａ）および後方端（２０１Ｐ）ならびに脛骨対面表面（２０２）および踵骨対面表面（２７２、２７４）を有する、中間インプラント（２００）であって、前記脛骨インプラント（１００）と前記踵骨インプラント（３００）との間に嵌合する、中間インプラント（２００）と、
を備え、
前記中間インプラント（２００）の前記脛骨対面表面（２０２）は、前記脛骨インプラント（１００）に固定して取り付けられ、前記中間インプラント（２００）の前記踵骨対面表面（２７２、２７４）は、前記踵骨インプラント（３００）に関節運動可能に係合し、前記中間インプラント（２００）は、前記関節運動する表面の第１の縁（２８８Ａ）をその前方端に、そして前記関節運動する表面の第２の縁（２８８Ｐ）をその後方端に有し、前記第１の縁（２８８Ａ）は、前記第２の縁（２８８Ｐ）と異なる高さにあって、高さは、前記中間インプラント（２００）の上部表面（２０２）に対して画定される、
人工装具。
（項目２）
前記第１の縁（２８８Ａ）は、前記第２の縁（２８８Ｐ）より低い高さにある、項目１に記載の人工装具。
（項目３）
前記第１の縁（２８８Ａ）は、前記第２の縁（２８８Ｐ）より高い高さにある、項目１に記載の人工装具。
（項目４）
前記脛骨インプラント（１００）の下側表面（１０４）はさらに、その周囲にその第１（１１７）、第２（１１９）、および第３（１２１）の境界側を伴う切り抜き境界を有する、切り抜き領域をその中に備える、項目１に記載の人工装具。
（項目５）
前記切り抜き領域は、前記脛骨インプラント（１００）の前記前方端（１０１Ａ）における脛骨インプラント入口領域（１１１）と連通する、項目４に記載の人工装具。
（項目６）
第１（１１７）および第２（１１９）境界側はそれぞれさらに、切り抜き蟻継ぎ（１２２、１２４）を備える、項目５に記載の人工装具。
（項目７）
前記脛骨対面表面（１０２）はさらに、前記脛骨インプラント（１００）の前記前方端（１０１Ａ）より前記脛骨インプラント（１００）の前記後方端（１０１Ｐ）の近くに位置する、フィン（１３０）を備え、前記フィン（１３０）は、前記脛骨対面表面（１０２）に取り付けられる近位フィン端を有し、かつ前記脛骨対面表面（１０２）から測定されるフィン角度（ガンマ）において前記脛骨対面表面（１０２）から垂下する遠位フィン端を有する、項目１に記載の人工装具。
（項目８）
前記フィン角度（ガンマ）は、ゼロ〜９０度である、項目７に記載の人工装具。
（項目９）
前記フィン角度（ガンマ）は、２０〜７０度である、項目８に記載の人工装具。
（項目１０）
前記フィン（１３０）は、前記切り抜き領域内に全体的に位置する、項目７に記載の人工装具。
（項目１１）
前記脛骨対面表面（１０２）はさらに、前記フィン（１３０）が位置するより前記脛骨インプラント（１００）の前記前方端（１０１Ａ）の近くに位置する、少なくとも１つのペグ（１４２、１４４）を備え、前記少なくとも１つのペグ（１４２、１４４）は、前記脛骨対面表面（１０２）に取り付けられる近位ペグ端を有し、かつ前記脛骨対面表面（１０２）から測定されるペグ角度（ガンマ）において前記脛骨対面表面（１０２）から垂下する遠位ペグ端を有する、項目７に記載の人工装具。
（項目１２）
前記ペグ角度（ガンマ）は、ゼロ〜９０度である、項目１１に記載の人工装具。
（項目１３）
前記ペグ角度（ガンマ）は、２０〜７０度である、項目１２に記載の人工装具。
（項目１４）
前記ペグ角度（ガンマ）は、前記フィン角度（ガンマ）と異なる、項目１１に記載の人工装具。
（項目１５）
前記ペグ（１４２、１４４）はさらに、球形の一部を構成する先端部分（１４８Ａ）に続いて、円錐形の部分（１４８Ｂ）、それに続いて、長手軸の周囲の旋回における円弧によって形成される表面（１４８Ｃ）、それに続いて、円筒形表面（１４８Ｄ）を備える、項目１１に記載の人工装具。
（項目１６）
前記人工装具は、脛骨の下側部分における横断面から見て下側脛骨の調製された端部の形状に厳密に一致する外部形状を備える、項目７に記載の人工装具。
（項目１７）
前記中間インプラント（２００）の前記脛骨対面表面（２０２）はさらに、突起（２０４）をその上に備える、項目６に記載の人工装具。
（項目１８）
前記突起（２０４）はさらに、前記切り抜き蟻継ぎ（１２２、１２４、１２６）と相補的な蟻継ぎ構成（２２２、２２４、２２６）を備える、項目１７に記載の人工装具。
（項目１９）
前記中間インプラント（２００）はさらに、中間インプラント陥凹（２７０）をその前方縁（２０１Ａ）上に備える、項目１８に記載の人工装具。
（項目２０）
前記脛骨インプラント（１００）および前記中間インプラント（２００）のうちの一方は、ポケット（１６０）を備え、前記脛骨インプラント（１００）および前記中間インプラント（２００）の他方は、ラッチ（２６０）を備え、前記ラッチ（２６０）および前記ポケット（１６０）は、組立に応じて相互に係合し、前後方向に沿って見ると、前記中間インプラント陥凹（２７０）は、少なくとも部分的に、前記ポケット（１６０）および前記ラッチ（２６０）と重複する、項目１９に記載の人工装具。
（項目２１）
前記踵骨対面表面（２７２、２７４）はさらに、双顆状表面を備える、項目１に記載の人工装具。
（項目２２）
前記双顆状表面はさらに、それぞれ、旋回軸（３９９）の周囲を旋回される個別の円弧によって形成される、第１（２７２）および第２（２７４）の凹状顆状表面を備える、項目２１に記載の人工装具。
（項目２３）
前記旋回軸（３９９）は、前記脛骨インプラント（１００）の前記脛骨対面表面（１０２）を含む平面から測定される約８度の角度で配置される、項目２２に記載の人工装具。
（項目２４）
脛骨インプラントであって、
外周縁であって、垂直軸に沿って上方から見て前記周縁の周囲を反時計回りに進むと、第１の直線縁をさらに備える、外周縁を備え、
前記第１の直線縁の後に、前記第１の直線縁に衝合し、それと接する、第１の凸状角が続き、
前記第１の凸状角の後に、前記第１の凸状角に衝合し、それと接する、第２の直線縁または浅い弧が続き、
前記第１の凸状角の角度は、９０度を上回るが、１８０度未満であって、
前記第２の直線縁または前記浅い弧の後に、前記第２の直線縁または前記浅い弧に衝合し、それと接する、第２の凸状角が続き、
前記第２の凸状角の後に、第１の凹状曲線が続き、前記第２の凸状角は、第１の変曲点において、前記第１の凹状曲線に遷移し、
前記第１の直線縁と平行であって、前記第１の変曲点より前記第１の直線縁から遠い接触点において、第２の凸状角と接する、接線が存在し、
前記第１の凹状曲線は、前記接線より前記第１の直線縁から遠くなるように、前記第１の変曲点から継続し、前記接線を交差し、
前記第１の凹状曲線の後に、前記第１の凹状曲線から始まり、前記第１の直線縁に戻り、前記脛骨プレートの全周縁を形成する、凸状曲線が続く、
脛骨インプラント。
（項目２５）
足関節置換人工装具であって、
脛骨上に埋め込むための脛骨インプラントと、
距骨上に埋め込むための踵骨インプラントと、
前記脛骨インプラントと前記踵骨インプラントとの間に嵌合する中間インプラントと、
を備え、
前記中間インプラントは、前記脛骨インプラントに関節運動不可能に取り付けられ、前記踵骨インプラントに対して関節運動可能であって、
前記脛骨インプラントは、脛骨対面表面と前記脛骨対面表面に対向する下側表面とを有し、
前記下側表面は、前記脛骨インプラントの外周縁から内側に延在する切り抜き領域を有し、前記切り抜き領域は、前記切り抜き領域を前記脛骨インプラントの前記下側表面の残りから境界する、切り抜き周縁形状によって画定され、
前記切り抜き周縁は、脛骨蟻継ぎ構成を有し、
前記脛骨蟻継ぎ構成は、前記切り抜き周縁の第１の側および第２の側ならびにその残りの少なくとも一部に沿って延在し、
前記中間インプラントは、前記脛骨蟻継ぎ構成と相補的である中間インプラント蟻継ぎ構成を有する、中間インプラント蟻継ぎを備える、
人工装具。
（項目２６）
前記第１の側および前記第３の側は、相互に平行である、項目２５に記載の人工装具。
（項目２７）
前記蟻継ぎは、前記周縁の第１の直線側、湾曲領域、第２の直線側、湾曲領域、および第３の直線側を備える、項目２５に記載の人工装具。
（項目２８）
前記蟻継ぎは、前記周縁の全体に沿って延在する、項目２５に記載の人工装具。
（項目２９）
前記脛骨インプラントはさらに、前記切り抜き領域内にポケットを備え、前記中間インプラントは、前記ポケットと相補的なラッチを備え、前記ラッチが前記ポケットに係合すると、前記中間インプラント蟻継ぎの一部は、前記脛骨背面蟻継ぎの一部に係合する、項目２５に記載の人工装具。
（項目３０）
脛骨インプラントであって、
脛骨対面表面および対向表面と、
前記脛骨対面表面から突出する２つのペグと、
前記脛骨対面表面から突出するフィンと、
を備え、
その長さ方向に垂直にとられた断面において、前記フィンは、幅広方向および幅狭方向を有し、前記幅広方向は、前記幅狭方向より長く、前記幅広方向は、概して、前記脛骨インプラントの前進方向に垂直であって、
前記フィンは、前記脛骨対面表面から離れた楔形状端を有し、
前記ペグは、少なくとも部分的に、個別の対称軸を有する軸対称であって、
前記脛骨インプラントの前方縁は、切り抜きをその中に有する縁であって、前記フィンは、前記ペグより前記前方縁から遠く、
前記フィンは、フィン中心線を有し、前記ペグは、個別のペグ対称軸を有し、前記対称軸および前記フィン中心線は、全て実質的に相互に平行である、
インプラント。
（項目３１）
前記フィンは、前記ペグより短い、項目３０に記載のインプラント。
（項目３２）
前記フィンは、少なくとも１つの孔をそれを通して備える、項目３０に記載のインプラント。
（項目３３）
前記ペグは、前後方向において相互と同一距離にある、項目３０に記載のインプラント。
（項目３４）
支柱の内部対面縁が、前記フィンの幅を上回る距離だけ離間される、項目３０に記載のインプラント。
（項目３５）
支柱の軸は、前記フィンの中心線軸と平行である、項目３０に記載のインプラント。
（項目３６）
支柱の軸は、前記フィンの表面の直線区画と平行である、項目３０に記載のインプラント。
（項目３７）
前記フィンは、前記脛骨インプラントの中心点の後方に全体的に位置し、前記中心点は、前記脛骨インプラントの前方末端と前記脛骨インプラントの後方末端との間の中間にある、項目３０に記載のインプラント。
（項目３８）
足関節置換人工装具であって、
脛骨上に埋め込むための脛骨インプラントと、
距骨上に埋め込むための踵骨インプラントと、
前記脛骨インプラントと前記踵骨インプラントとの間に嵌合する中間インプラントと、
を備え、
前記中間インプラントは、前記脛骨インプラントに取り付けられ、前記踵骨インプラントに対して関節運動可能であって、
前記中間インプラントは、中間インプラント陥凹をその前方縁上に備え、
前記脛骨インプラントおよび前記中間インプラントのうちの一方は、ポケットを備え、前記脛骨インプラントおよび前記中間インプラントの他方は、ラッチを備え、前記ラッチおよび前記ポケットは、組立に応じて相互に係合し、
前後方向に沿って見ると、前記中間インプラント陥凹は、少なくとも部分的に、前記ポケットおよび前記ラッチと重複する、
人工装具。
（項目３９）
前記中間インプラント陥凹は、内外方向における幅を有し、前記中間インプラント陥凹の前記幅は、前記ラッチの幅を上回るか、またはそれに等しい、項目３８に記載の人工装具。
（項目４０）
前記中間インプラント陥凹および前記ラッチは、共通中心線を共有する、項目３８に記載の人工装具。
（項目４１）
前記脛骨インプラントは、内部傾斜を有する脛骨インプラント陥凹を有し、前記ラッチは、外部傾斜を有し、前記内部傾斜および前記外部傾斜は、相互に等しい、項目３８に記載の人工装具。
（項目４２）
前記脛骨インプラントは、前記前後方向に沿って見ると、少なくとも部分的に、前記中間インプラント陥凹と重複する、脛骨インプラント陥凹を有する、項目３８に記載の人工装具。
（項目４３）
キットであって、
脛骨上に埋め込むための脛骨インプラントと、
距骨上に埋め込むための踵骨インプラントと、
前記脛骨インプラントと前記踵骨インプラントとの間に嵌合可能な複数の中間インプラントと、
を備え、
前記中間インプラントは、前記脛骨インプラントに取り付けられ、前記踵骨インプラントに対して関節運動する、個別の関節表面を有し、
前記中間インプラントはそれぞれ、前記関節表面の個別の第１の端点および前記関節表面の個別の第２の端点を有し、
前記中間インプラントのうちの少なくとも１つは、前記中間インプラントの別のものと異なる高さ寸法の前記第１の端点を有するか、または前記中間インプラントの別のものと異なる高さ寸法の前記第２の端点を有する、
キット。
（項目４４）
前記中間インプラントのうちの一方は、第１の高さ寸法の前記第１の端点を有し、かつ第２の高さ寸法の前記第２の端点を有し、前記第１の高さ寸法は、前記第２の高さ寸法に等しい、項目４３に記載のキット。
（項目４５）
前記中間インプラントのうちの一方は、前記中間インプラントの前方端にある、第１の端点を有し、かつ前記中間インプラントの後方端にある、第２の端点を有し、前記第１の端点は、前記第２の端点より低い高さにある、項目４３に記載のキット。
（項目４６）
前記中間インプラントのうちの一方は、前記中間インプラントの前方端にある、第１の端点を有し、かつ前記中間インプラントの後方端にある、第２の端点を有し、前記第１の端点は、前記第２の端点より高い高さにある、項目４３に記載のキット。
（項目４７）
足関節置換人工装具であって、
脛骨上に埋め込むための脛骨インプラントと、
距骨上に埋め込むための踵骨インプラントと、
前記脛骨インプラントと前記踵骨インプラントとの間に嵌合する中間インプラントと、
を備え、
前記脛骨インプラントは、脛骨対面表面および前記脛骨対面表面に対向する下側表面を有し、
前記下側表面は、前記切り抜き領域および非切り抜き領域を境界する周縁形状によって画定された切り抜き領域を有し、前記周縁形状は、前記脛骨インプラントの前方縁に衝合し、
前記脛骨対面表面は、そこから突出し、ペグ取付領域において前記脛骨対面表面に取り付けられる、少なくとも１つの脛骨ペグを有し、
前記脛骨対面表面に垂直方向に沿って見ると、前記ペグ取付領域は、部分的に、前記非切り抜き領域に重複し、部分的に、前記切り抜き領域に重複する、
人工装具。
（項目４８）
前記脛骨対面表面は、そこから突出し、フィン取付領域において前記脛骨対面表面に取り付けられる、フィンを有し、前記フィン取付領域は、前記切り抜き領域に重複する、項目４７に記載の人工装具。
（項目４９）
前記下側表面は、ポケットを前記切り抜き内に有し、前記ペグ取付領域は、少なくとも部分的に、前記ポケットに重複する、項目４７に記載の人工装具。